(57)【要約】【課題】簡単な設定で選択した録画予約のときにのみ表示部の表示を暗くする。【解決手段】録画予約設定部２０に表示部１８の録画予約の消灯の可、否を設定し、システム制御部１３により、録画予約設定部２０に消灯可が設定されているときにのみ、録画予約の開始から終了まで表示部１８を消灯状態に制御し、簡単な表示部１８の消灯可、否の設定で就寝中等に行なわれる録画予約についてのみ選択して表示部１８の表示を暗くすることができ、例えば就寝中の表示部１８の表示が使用者の安眠の妨げになること等がなく、又、通常の録画予約の際には表示部が明るくなるので、使用者に不安感を与えることがなく、録画状態の確認が容易に行なえ、使用者が故障と勘違いすることもない。【選択図】図１
2008109540.tif 000002
【特許請求の範囲】
【請求項１】
録画予約機能及び時計機能を備えると共に状態や時間情報を表示する表示部を有する映像記録再生装置において、前記表示部の録画予約の消灯の可、否を設定する消灯可否設定手段と、前記消灯可否設定手段の消灯可の設定により録画予約の開始から終了まで前記表示部を消灯状態に制御する録画消灯制御手段とを備えたことを特徴とする映像記録再生装置。
【請求項２】
請求項１記載の映像記録再生装置において、前記表示部の消灯時間を設定する消灯時間設定手段を更に備え、前記録画消灯制御手段は、前記消灯可否設定手段の前記消灯可の設定と、前記消灯時間設定手段の前記消灯時間の設定とに基づき、前記録画予約の開始から終了までの録画期間中の前記消灯時間のみ前記表示部を消灯状態に制御することを特徴とする映像記録再生装置。
【請求項３】
請求項１又は２に記載の映像記録再生装置において、受信した放送番組をジャンル、番組タイトル等の番組情報と共に記録媒体に録画する番組録画機能を有し、前記表示部を消灯して再生する番組条件を設定する番組条件設定手段と、前記番組条件に一致する前記番組情報の既録画の放送番組の再生中に前記表示部を消灯制御する再生消灯制御手段とを備えたことを特徴とする映像記録再生装置。
【発明の詳細な説明】
【技術分野】
【０００１】
本発明は、録画予約機能を有する映像記録再生装置に関し、詳しくは、装置前面の表示部の表示制御に関する。
【背景技術】
【０００２】
従来、ビデオテープレコーダ、ＤＶＤレコーダ、ハードディスクレコーダ等の映像記録再生装置は、単体の場合は勿論、液晶ディスプレイ装置やプラズマディスプレイ装置のような薄型の映像表示装置に内蔵されるような場合にも、装置の前面パネル等に蛍光表示管やＬＥＤ表示器等により形成された表示部が設けられる。
【０００３】
そして、前記表示部は装置の状態や時間情報を表示するものであり、録画（記録）や再生の動作中には動作モードや録画、再生の経過時間等の数字や文字（記号）を明るく表示し、後述の録画予約のスタンバイ状態時等には暗くしたり、若しくは消灯する。
【０００４】
次に、この種の映像記録再生装置は、多くの場合、内蔵又は外部接続のテレビチューナによりテレビ放送番組の録画が行なえる。更に、録画予約機能を備える場合、近年は、受信した電子番組表（ＥＰＧ）等からの番組選択等に基づいてタイマ録画や番組予約録画と呼ばれる録画予約が簡単に行なえるようになっている。
【０００５】
そして、録画予約が行なえるこの種の映像記録再生装置は、録画予約の設定を行なうと、スタンバイ状態で内蔵の時計部の計時時刻が録画予約の開始時刻（放送直前の時刻）になるのを待ち、開始時刻になると、主電源をオンしてモータ等を起動し、録画を開始する。このとき、前記表示部は定格通電によって録画経過時間等を明るく表示する。
【０００６】
尚、スタンバイ状態の間は、省電力化を図るため、システム制御部や前記時計部等の最小限の回路部のみが給電駆動され、前記表示部は電流制限等によって表示が暗くなったり、給電がオフして消灯したりする。
【０００７】
ところで、この種の映像記録再生装置の録画予約において、ユーザ（使用者）がその場所にいないときは、前記表示部の表示が不要であるため、商用電源コンセントがオン（通電状態）で装置が電源オフ状態であること、すなわち、録画予約のスタンバイ状態であることを条件に、録画予約の開始に連動して前記表示部を減光制御し、省電力化を図ることが提案されている（例えば、特許文献１参照）。
【０００８】
又、ポータブル型のＣＤプレーヤにおいて、極力省電力化（節電）を図るため、再生時間や曲数等を表示する液晶ディスプレイの表示部を、再生終了後にユーザが何も操作せずに一定期間が経過すると、自動的に給電を停止して消灯（オフ）することが提案されている（例えば、特許文献２参照）。
【０００９】
【特許文献１】特開２００５−３４６７５６号公報（要約書、段落［０００１］、［０００９］、［００３５］−［００３８］、図１、図２等）
【特許文献２】特開平６−１１９７６５号公報（要約書、段落［００２４］−［００３２］、図１、図５等）
【発明の開示】
【発明が解決しようとする課題】
【００１０】
前記特許文献１に記載のように録画予約のスタンバイ状態から録画予約を開始するときに無条件に前記表示部が暗くなる（消灯状態になる）構成にした場合、使用者（ユーザ）が当該映像記録再生装置のある場所にいて録画予約の開始を待っているようなときにも、前記表示部が暗い状態のまま録画予約が開始されるため、録画予約が始まったことに気付きにくく、使用者に不安感を与える虞があり、又、録画状態の確認がしづらく、更には、使用者が故障と勘違いする虞もある。
【００１１】
ところで、この種の映像記録再生装置において、前記表示部が録画予約中に明るい状態に維持されることは、単に省電力化が図られないというだけでなく、当該映像記録再生装置の近くで就寝する使用者（ユーザ）の眠りの妨げとなる問題があり、又、例えば記録媒体に蓄積保持した既録画の映画等の放送番組を、部屋を真っ暗にして当該映像記録再生装置で再生して画面表示し、鑑賞するような場合に、前記表示部の明るさが気になって鑑賞の妨げになる問題点がある。
【００１２】
そして、前記特許文献１、２のいずれに記載の構成であっても、就寝中等に行なわれる録画予約についてのみ前記表示部の表示を暗くすることはできない。又、既録画の映画等の放送番組を真っ暗な部屋で再生して鑑賞するようなときに前記表示部の表示を暗くすることもできない。
【００１３】
本発明は、この種の映像記録再生装置において、第一には、簡単な設定で就寝中等に行なわれる録画予約についてのみ選択して前記表示部の表示を暗くできるようにし、第二には、既録画の所望の放送番組の再生時に自動的に前記表示部の表示を暗くできるようにすることを目的とする。
【課題を解決するための手段】
【００１４】
上記第一の目的を達成するために、本発明の映像記録再生装置は、録画予約機能及び時計機能を備えると共に状態や時間情報を表示する表示部を有する映像記録再生装置において、前記表示部の録画予約の消灯の可、否を設定する消灯可否設定手段と、前記消灯可否設定手段の消灯可の設定により録画予約の開始から終了まで前記表示部を消灯状態に制御する録画消灯制御手段とを備えたことを特徴としている（請求項１）。
【００１５】
更に、本発明の映像記録再生装置は、前記表示部の消灯時間を設定する消灯時間設定手段を更に備え、前記録画消灯制御手段は、前記消灯可否設定手段の前記消灯可の設定と、前記消灯時間設定手段の前記消灯時間の設定とに基づき、前記録画予約の開始から終了までの録画期間中の前記消灯時間のみ前記表示部を消灯状態に制御することを特徴としている（請求項２）。
【００１６】
又、第二の目的も達成するために、受信した放送番組をジャンル、番組タイトル等の番組情報と共に記録媒体に録画する番組録画機能を有し、前記表示部を消灯して再生する番組条件を設定する番組条件設定手段と、前記番組条件に一致する前記番組情報の既録画の放送番組の再生中に前記表示部を消灯制御する再生消灯制御手段とを備えたことを特徴としている（請求項３）。
【発明の効果】
【００１７】
請求項１の発明によれば、例えば就寝中の録画予約については、就寝前の録画予約の設定において、消灯可否設定手段によって表示部を消灯可に設定することで、録画予約中は録画消灯制御手段により表示部が消灯状態になって暗くなる。一方、通常の録画予約については、録画予約の設定において、消灯可否設定手段によって表示部を消灯否に設定することで、録画予約中は表示部が消灯状態にならず、明るい表示を行う。
【００１８】
したがって、簡単な表示部の消灯可、否の設定で就寝中等に行なわれる録画予約についてのみ選択して表示部の表示を暗くすることができ、例えば就寝中の前記表示部の表示が使用者の安眠の妨げになること等がなく、
又、通常の録画予約の際には表示部が明るくなるので、使用者に不安感を与えることがなく、録画状態の確認が容易に行なえ、使用者が故障と勘違いすることもない。
【００１９】
請求項２の発明によれば、例えば使用者の就寝中に起床時刻を挟んで録画予約するような場合に、消灯可否設定手段によって表示部を消灯可に設定すると共に消灯時間設定手段によって録画予約の開始時刻から起床時刻までを消灯時間に設定することにより、録画消灯制御手段によって、録画予約中の前記消灯時間だけ表示部を消灯状態に暗くすることができ、請求項１の発明の場合より一層効果的な録画予約中の前記表示部の消灯制御が行なえる。
【００２０】
請求項３の発明によれば、番組録画機能によって記録媒体に放送番組を録画した後、記録媒体の既録画の放送番組を再生して視聴（鑑賞）する際、番組条件設定手段によって表示部を消灯して再生する番組条件を設定しておくと、番組条件に一致したジャンルや番組タイトルの放送番組を再生するときには、再生消灯制御手段によって、表示部が自動的に消灯状態となり暗くなる。
【００２１】
したがって、請求項１又は２の発明の効果を奏すると共に、既録画の所望の放送番組の再生時に自動的に前記表示部の表示を暗くすることができ、既録画の映画等の放送番組を真っ暗な部屋で再生して鑑賞するようなときに表示部の明るさが気になることがない。
【発明を実施するための最良の形態】
【００２２】
次に、本発明をより詳細に説明するため、その一実施形態について、図１〜図８にしたがって詳述する。
【００２３】
図１は本発明が適用される映像記録再生装置１の回路ブロックを示し、図２はその外観を示した正面図である。尚、図１においては音声処理の回路ブロック等は省略している。
【００２４】
図３はメニュー画面を示し、図４は録画予約設定画面を示し、図５は消灯時間設定画面を示し、図６は録画予約の表示制御のフローチャートを示す。
【００２５】
図７は消灯ジャンル設定画面を示し、図８は再生時の表示制御のフローチャートを示す。
【００２６】
映像記録再生装置１は据え置き型の本体部２と使用者の手元のリモコン３とで構成されたテレビチューナ内蔵タイプのＤＶＤレコーダであり、本発明の録画予約機能、時計機能及び番組録画機能を有する。
【００２７】
そして、本体部２のテレビチューナ４はアンテナ又はケーブル端子に接続され、マイクロコンピュータ等からなる制御処理部５の選局制御にしたがって、例えば地上波デジタルのテレビ放送やデジタルハイビジョン放送の放送番組を受信すると共に、それらのＥＰＧの番組情報を受信する。
【００２８】
更に、テレビチューナ４が受信した放送番組等のデジタル信号は後段の復調部６でデジタル復調された後、デジタル処理部７によって映像、音声、付加情報等に分離して再生され、映像の信号は映像処理部８で周知の画像表示信号に加工される。
【００２９】
そして、映像出力端子９にケーブル接続された映像表示装置１０がオンしていると、通常は、映像表示装置１０に受信した放送番組が画面表示される。
【００３０】
このとき、例えばリモコン３のキー操作で受信チャンネルを選択すると、リモコン３の赤外線信号がリモコン受光部１１に受信され、リモコン受光部１１から制御処理部５のキー処理部１２に前記赤外線信号の電気信号が送られ、キー処理部１２によってキーコード等が復号され、キーコードのチャンネルデータがシステム制御部１３を介してテレビチューナ４に送られ、テレビチューナ４の受信チャンネルが切り換わる。
【００３１】
又、例えばリモコン３によって通常の番組録画に設定されると、制御処理部５の録画処理部１４が動作し、録画処理部１４の制御処理に基づき、受信復調された放送番組のデジタル信号がデジタル処理部７によって録画の信号フォーマットで記録部１５の記録媒体である書き込み（書き換え）可能なＤＶＤやハードディスク（ＨＤＤ）に書き込まれて録画される。このとき、その放送番組の番組情報も併せてＤＶＤやＨＤＤに書き込まれて記録される。
【００３２】
更に、ＤＶＤやＨＤＤに録画された既録画の放送番組を再生するときは、例えばリモコン３の再生のボタン操作により制御処理部５の再生処理部１６が動作し、再生処理部１６の制御処理により、例えばＤＶＤやＨＤＤの各番組情報がデジタル処理部７に読み出され、読み出された各番組情報に基づいて映像表示装置１０に既録画の放送板組のタイトル等の一覧が表示される。
【００３３】
そして、前記一覧の表示からのリモコン３等による選択に基づき、選択された既録画の放送番組がＤＶＤやＨＤＤから読み出され、その画像表示信号が映像表示装置１０に供給されて選択された放送番組が再生表示される。
【００３４】
次に、本映像記録再生装置１は制御処理部５がメモリ１７に設定された各種の制御処理のプログラムを実行することにより、ソフトウエア処理によって、前述の選局制御、通常の録画や再生の機能だけでなく時計機能及び録画予約機能を備え、更には、状態や時間情報を表示する表示部１８の表示制御の機能も備える。
【００３５】
すなわち、制御処理部５は、ソフトウエア処理によって形成された時計部１９、録画予約設定部２０、消灯時間設定部２１、消灯ジャンル設定部２２、録画情報取得部２３及び表示制御部２４を備える。尚、メモリ１７は、それらのプログラム（マイコンソフト）を記憶したＲＯＭ及び、チャンネルデータや調整、初期設定のデータなどの装置データを記憶したＥ２ＰＲＯＭなどの書き換え可能な不揮発性メモリを含む構成である。
【００３６】
そして、時計部１９は本発明の時計機能を形成し、装置内の動作クロック（基準クロック）をカウントして前記番組情報等で修正された現在の時刻を計時し、時刻表示情報をシステム制御部１３を介して表示制御部２４に供給する。
【００３７】
表示制御部２４は、前記時刻表示情報の他、キー処理部１２や録画処理部１４、再生処理部１５等の操作や動作の状態の表示情報、具体的には、停止、録画、再生、スタンバイ等の現在の動作モードや録画や再生のカウンタ値等の表示情報も供給され、これらの表示情報に基づく数字や文字、記号の表示信号を表示部１８に供給する。
【００３８】
表示部１８はいわゆる”表示管”であり、蛍光表示管やＬＥＤ表示器等からなり、図２に示すように、映像記録再生装置１のフロントパネル１ａの中央部に取り付けられている。尚、フロントパネル１ａには、例えば、電源ボタン２５、録画や再生の操作ボタン２６、２７、ＤＶＤのトレイ入出ボタン２８、ＤＶＤのトレイ入出口の扉２９等も設けられている。
【００３９】
そして、電源ボタン２５がオン操作されてＤＶＤやＨＤＤのモータ等が動作する映像記録再生装置１の動作中は、表示制御部２４が表示部１８に定格の表示信号を供給して表示部１８が現在時刻や動作モード等を明るく表示する。一方、電源ボタン２５がオフ操作されて映像記録再生装置１が録画予約のスタンバイ状態やスリープ状態にあるときは、表示制御部２４が表示部１８に供給する表示信号を半減したりオフしたりするため、表示部１８は消灯状態になって現在時刻や動作モードの表示が暗くなる。
【００４０】
（録画予約）
次に、録画予約の設定及び録画予約中の表示部１８の表示制御の構成について説明する。
【００４１】
録画予約設定部２０は、リモコン３等で設定された録画予約の設定を保持し、本発明の消灯可否設定手段を形成する。
【００４２】
そして、録画予約は電源ボタン２５をオンして映像記録再生装置１を動作状態にした後、例えばリモコン３を操作して行われる。
【００４３】
具体的には、リモコン３の操作により、メニュー画面の表示を選択し、メモリ１７に保持された図３の各種設定のメニュー画面Ｐ１を映像表示装置１０に表示し、メニュー画面Ｐ１から“録画予約設定”を選択する。
【００４４】
このとき、メモリ１７の録画予約のプログラムが実行され、例えば前記番組情報に基づく放送番組一覧が映像表示装置１０に表示される。
【００４５】
そして、リモコン３の操作で録画予約する放送番組を選択（指定）すると、選択した番組の放送時間や放送チャンネル等の録画予約の情報が前記番組情報から読み取られ、映像表示装置１０に予約内容を示した図４の録画予約設定画面Ｐ２が表示される。
【００４６】
録画予約設定画面Ｐ２の右隅には録画予約の際の表示部１８の消灯の可、否の設定を示す“消”の表示欄が設けられている。
【００４７】
そして、前記消灯可否設定手段は録画予約の際の消灯の可、否する手段であり、リモコン３を操作して前記“消”の表示欄をクリックするか否かによって消灯の可、否が設定されると、その設定情報を保持する。
【００４８】
ところで、以上の放送番組の予約と録画予約の際の消灯の可、否の設定とに基づき、システム制御部１３が形成する本発明の録画消灯制御手段によって録画予約の開始から終了まで表示部１８を消灯状態に制御するのみでもよいが、本実施形態においては、消灯時間設定手段を形成する消灯時間設定部２１を設け、前記録画消灯制御手段により、消灯可否設定手段の消灯可の設定と、消灯時間設定手段の消灯時間の設定とに基づき、録画予約の開始から終了までの録画期間中の前記消灯時間のみ表示部１８を消灯状態に制御することも可能にする。
【００４９】
そして、消灯時間を設定する場合は、予め又は録画予約の設定時にリモコン３を操作し、メニュー画面Ｐ１から“消灯時間設定”を選択し、映像表示装置１０に図５の消灯時間設定画面Ｐ３を表示する。
【００５０】
そして、例えば就寝時間に合わせて消灯開始時刻、点灯復帰時刻を設定することで消灯開始時刻から点灯復帰時刻までの消灯時間を消灯時間設定部２１に設定して保持する。
【００５１】
以上の録画予約の設定が終了すると、電源ボタン２５がオフ操作されて映像記録再生装置１が録画予約のスタンバイ状態になる。
【００５２】
次に、録画予約の設定時刻になると、システム制御部１３が自動的に電源ボタン２５をオンして録画処理部１４を起動し、スタンバイ状態を解除して設定された録画予約を実行する。
【００５３】
このとき、システム制御部１３はメモリ１７に保持されている図６の録画予約の表示制御も実行し、録画消灯制御手段を形成する。
【００５４】
該録画消灯制御手段は図６のステップＳ１により録画予約設定部２０の消灯の可否の設定から消灯可に設定されているか否かを判断し、消灯可に設定されていると、ステップＳ１からステップＳ２に移行して消灯時間設定部２１の消灯時間の設定を読み出す。
【００５５】
このとき、消灯時間が設定されていなければ、ステップＳ３に移行して表示部１８を録画予約中消灯する予約時間消灯モードの制御を実行する。
【００５６】
予約時間消灯モードにおいては、ステップＳ４〜Ｓ６により、録画予約の開始から終了まで、表示制御部２４から表示部１８に供給する表示信号を強制的にスタンバイ時と同様に低減するかオフし、これによって表示部１８を通常より暗くし、表示部１８の表示が就寝中の安眠の妨げになることを防止する。
【００５７】
そして、録画予約が終了すると、ステップＳ７に移行して表示制御部２４から表示部１８に供給する表示信号の低減を解除し、ステップＳ８で次の予約の有無を判断し、次の予約があれば、録画予約のスタンバイ状態でステップＳ８からステップＳ１に戻り、次の予約がなければ、ステップＳ８を否定（ＮＯ）で通過して録画予約の表示制御を終了する。
【００５８】
この場合、通常の録画予約の際には表示部１８は明るくなるので、使用者に不安感を与えることがなく、録画状態の確認が容易に行なえ、使用者が故障と勘違いすることもない。
【００５９】
一方、消灯時間が設定されている場合は、ステップＳ２において消灯時間が読み出され、ステップＳ２からステップＳ９に移行し、録画予約中の設定時間のみ消灯する設定時間消灯モードに移行する。
【００６０】
そして、設定時間消灯モードの場合は、ステップＳ１０〜Ｓ１３により、録画予約の設定時間だけ、表示制御部２４から表示部１８に供給する表示信号を強制的にスタンバイ時と同様に低減するかオフし、これによって表示部１８を通常より暗くし、表示部１８の表示が就寝中の安眠の妨げになることを防止する。
【００６１】
この場合、例えば録画予約の開始時刻から起床時刻までを消灯時間に設定し、起床時刻以降は録画予約の途中であっても、ステップＳ１１からステップＳ１４に移行して表示部１８を元の明るさに戻すことができる。
【００６２】
そのため、表示部１８の表示が就寝中の安眠の妨げになることを防止することができるのは勿論、録画予約中に起床した使用者は、表示部１８の明るい表示によって録画予約中であることを認識することができ、録画予約の性能が一層向上する。
【００６３】
（消灯視聴）
次に、番組録画機能によって記録媒体であるＤＶＤやＨＤＤに放送番組を録画した後、記録媒体の既録画の放送番組を再生して視聴（鑑賞）する際、表示部１８の表示を暗くする消灯視聴モードの設定及び表示部１８の表示制御の構成を説明する。
【００６４】
ところで、消灯視聴モードで再生する番組は、その番組の番組タイトルを設定して番組単位で設定してもよいが、映画、ドラマ等のジャンル（分野）を指定してもよい。
【００６５】
そして、本実施形態の場合、ジャンル（分野）を指定して消灯視聴モードで再生する番組を設定する。
【００６６】
この場合、システム制御部１３が番組条件設定手段を形成し、リモコン３を操作して図３のメニュー画面Ｐ１から”消灯ジャンル設定”を選択し、映像表示装置１０に図７の消灯ジャンル設定画面Ｐ４を表示してジャンルを選択すると、前記番組条件設定手段が、選択されたジャンルを、表示部１８を消灯して再生する番組条件の番組情報として消灯ジャンル設定部２２に設定する。
【００６７】
次に、ＤＶＤやＨＤＤに録画された既録画の放送番組等を再生すると、システム制御部１３が図８の再生中の表示制御を実行し、ステップＱ１により、前記番組情報が併せて記録されていない市販のＤＶＤのような対象外の記録媒体の再生か否かを判断する。
【００６８】
そして、ＤＶＤやＨＤＤに録画された既録画の放送番組の再生であれば、ステップＱ１
からステップＱ２に移行し、消灯ジャンル設定部２２に番組条件のジャンルが設定されているか否かを判断する。
【００６９】
更に、消灯ジャンル設定部２２にジャンルが設定されていると、ステップＱ２からステップＱ３に移行して選択された放送番組の前記番組情報のジャンルと消灯ジャンル設定部２２に設定されているジャンルとを比較し、両ジャンルが一致すると、ステップＱ３からステップＱ４に移行し、ステップＱ４、Ｑ５により、その放送番組の再生中、表示部１８を暗くして消灯状態に保持する。
【００７０】
そして、当該放送番組の再生が終了すると、ステップＱ６に移行して表示部１８を元の明るさに戻す。
【００７１】
したがって、既録画の映画等の放送番組を真っ暗な部屋で再生して鑑賞するようなときに、表示部１８の表示を暗くして消灯状態で鑑賞することができ、この場合、その放送番組の画面を鑑賞する間、表示部１８の明るさが気にならず、鑑賞の妨げになることがない。
【００７２】
尚、番組条件として、消灯ジャンル設定部２２にジャンルに代えて番組タイトルを設定した場合は、その番組タイトルと再生する放送番組の前記番組情報の番組タイトルとの一致に基づいて、表示部１８を消灯状態に制御し、同様の効果を奏する。
【００７３】
そして、本発明は上記した実施形態に限定されるものではなく、その趣旨を逸脱しない範囲において上述したもの以外に種々の変形実施を行なうことが可能であり、例えば、消灯鑑賞の構成を省き、録画予約の際に表示部１８を消灯するのみであってもよく、この場合、消灯時間を設定する構成を省略してもよい。
【００７４】
又、消灯時間の設定手法等はどのようであってもよく、例えば、消灯時間を消灯の開始時刻とそれからの時間とで設定するようにしてもよい。
【００７５】
更に、消灯鑑賞の番組条件がジャンル、番組タイトル以外の番組情報であってもよいのは勿論である。
【００７６】
又、図１の各部の構成等はどのようであってもよく、記録媒体は種々のディスクやテープ等であってよい。
【００７７】
そして、本発明は、単体及び内蔵タイプの種々の映像記録再生装置に適用することができる。
【図面の簡単な説明】
【００７８】
【図１】本発明の一実施形態の映像記録再生装置のブロック図である。
【図２】同上、映像記録再生装置の外観を示す正面図である。
【図３】同上、メニュー画面の説明図である。
【図４】同上、録画予約設定画面の説明図である。
【図５】同上、消灯時間設定画面の説明図である。
【図６】同上、録画予約の表示制御のフローチャートである。
【図７】同上、消灯ジャンル設定画面の説明図である。
【図８】同上、再生時の表示制御のフローチャートである。
【符号の説明】
【００７９】
５    制御処理部
１３    システム制御部
１５    記録部
１８    表示部
１９    時計部
２０    録画予約設定部
２１    消灯時間設定部
２２    消灯ジャンル設定部
【図１】
2008109540.tif 000003
【図２】
2008109540.tif 000004
【図３】
2008109540.tif 000005
【図４】
2008109540.tif 000006
【図５】
2008109540.tif 000007
【図６】
2008109540.tif 000008
【図７】
2008109540.tif 000009
【図８】
2008109540.tif 000010